(57)【特許請求の範囲】
【請求項１】
放送信号を受信する放送信号受信手段と、
前記放送信号に対応する音声を出力する音声出力手段と、
前記放送信号受信手段によって受信可能な放送信号を示す放送局リストを作成する放送局リスト作成手段と、
前記放送信号受信手段によって受信中の前記放送信号の受信状態に基づいて、放送信号の受信が困難な領域内に進入したか否かを判定する進入判定手段と、
前記放送局リストに対応する放送信号を対象に、あるいは、受信周波数帯に含まれる全ての放送信号を対象に、前記放送信号の受信状態に基づいて、放送信号の受信が困難な領域内から脱出したか否かを判定する脱出判定手段と、
前記進入判定手段によって進入した旨の判定がなされたときに前記放送局リストの内容を保持するリスト保持手段と、
利用者による周波数掃引指示を受け付ける操作手段と、
前記操作手段を用いて利用者によって周波数掃引指示がなされたときに前記放送信号受信手段の受信周波数を一方向に掃引し、放送信号を検出したときにこの受信周波数の掃引を停止させる周波数掃引処理手段と、
前記周波数掃引処理手段による周波数掃引動作および前記脱出判定手段による脱出判定動作と並行して、前記音声出力手段の出力を無音状態に維持する無音処理手段と、
前記周波数掃引処理手段による周波数掃引動作の後あるいは前に行われる前記脱出判定手段の判定動作の結果に基づいて、前記リスト保持手段による放送局リストの内容保持の継続あるいは解除を決定するリスト保持判定手段と、
を備えることを特徴とするラジオ受信機。
【請求項２】
請求項１において、
前記リスト保持判定手段は、前記脱出判定手段によって前記領域内から脱出していない旨の判定がなされたときに、前記放送局リストの内容保持を継続する決定を行い、前記脱出判定手段によって前記領域内から脱出した旨の判定がなされたときに、前記放送局リストの内容保持を解除する決定を行うことを特徴とするラジオ受信機。
【請求項３】
請求項１または２において、
前記放送信号受信手段は、１つの放送信号を受信するシングルチューナ構成を有することを特徴とするラジオ受信機。
【請求項４】
請求項１〜３のいずれかにおいて、
前記進入判定手段および前記脱出判定手段による判定の対象となる放送信号の受信が困難な領域は、トンネルおよび建物内部であることを特徴とするラジオ受信機。
【請求項５】
請求項１〜４のいずれかにおいて、
前記無音処理手段は、前記リスト保持判定手段の動作中に出力の無音状態を維持することを特徴とするラジオ受信機。
【請求項６】
請求項１〜５のいずれかにおいて、
前記放送信号受信手段に対して放送信号の切り替えを指示する選局処理手段と、
前記選局処理手段によって切り替えられた放送信号の受信状態に基づいて前記放送リストの内容更新を行う放送局リスト更新手段と、
をさらに備え、前記放送局リスト更新手段は、前記リスト保持判定手段によって前記放送局リストの内容保持を継続する決定が行われたときに、放送信号の受信状態にかかわらず前記放送局リストの内容を保持することを特徴とするラジオ受信機。
【請求項７】
請求項６において、
前記前記選局処理手段は、前記放送局リストに含まれるいずれかの放送信号への切り替えを指示することを特徴とするラジオ受信機。
【請求項８】
請求項１〜７のいずれかにおいて、
前記進入判定手段は、前記放送信号受信手段によって受信中の放送信号の受信状態に基づいて、放送信号の受信が困難な領域内に進入したか否かを判定することを特徴とするラジオ受信機。
【発明の詳細な説明】
【技術分野】
【０００１】
本発明は、ＲＤＳ（Radio Data System）等のラジオ受信機に関する。
【背景技術】
【０００２】
従来から、受信可能な放送局リストを作成する受信装置が知られている（例えば、特許文献１参照。）。この受信装置では、ＧＰＳ等の位置検出部によって受信装置を搭載した移動体が地下施設などの受信困難エリアに進入したか否かを判定し、進入した場合には放送局リストを更新しないようにしている。これにより、移動体が受信困難エリアに進入したときに放送局リストに登録された放送局が減少してしまう事態を避けることができる。
【０００３】
また、従来から、プリセットされた複数の放送局（放送局リスト）の受信レベルが基準値以下になったときに受信レベルが基準値以上の放送局と入れ替えてプリセット内容を自動的に更新するようにした受信装置が知られている（例えば、特許文献２参照。）。この受信装置では、放送を聴くための第１の構成とは別に設けられた放送局を検索するための第２の構成を用いて、プリセットされた複数の放送局の受信レベルを検出し、受信レベルが基準値以下となった放送局が多数存在する場合にはプリセット内容を更新しないようにしている。これにより、トンネル等に進入した場合のプリセット内容の更新を防止している。
【先行技術文献】
【特許文献】
【０００４】
【特許文献１】特開２０１０−２６８３３３号公報
【特許文献２】特開平６−３３４４９０号公報
【発明の概要】
【発明が解決しようとする課題】
【０００５】
ところで、特許文献１に開示された受信装置では、ＧＰＳ等の位置検出部と検出した位置が受信困難エリアに含まれるか否かを判定するナビゲーションシステム等が必要になって構成が複雑になるという問題があった。また、特許文献２に開示された受信装置では、第２の構成を用いることで受信中の番組の音声出力に影響がないようにしてるが、放送信号を受信する構成が２組必要になるため、構成が複雑になるという問題があった。このように構成が複雑になれば、その分だけコスト増加につながって製品価格が上昇してしまうため望ましくない。
【０００６】
本発明は、このような点に鑑みて創作されたものであり、その目的は、簡単な構成で、トンネル等を走行中に放送局リストが更新されることを防止することができるラジオ受信機を提供することにある。
【課題を解決するための手段】
【０００７】
上述した課題を解決するために、本発明のラジオ受信機は、放送信号を受信する放送信号受信手段と、放送信号に対応する音声を出力する音声出力手段と、放送信号受信手段によって受信可能な放送信号を示す放送局リストを作成する放送局リスト作成手段と、放送信号の受信状態に基づいて、放送信号の受信が困難な領域内に進入したか否かを判定する進入判定手段と、放送信号の受信状態に基づいて、放送信号の受信が困難な領域内から脱出したか否かを判定する脱出判定手段と、進入判定手段によって進入した旨の判定がなされたときに放送局リストの内容を保持するリスト保持手段と、利用者による周波数掃引指示を受け付ける操作手段と、操作手段を用いて利用者によって周波数掃引指示がなされたときに放送信号受信手段の受信周波数を一方向に掃引し、放送信号を検出したときにこの受信周波数の掃引を停止させる周波数掃引処理手段と、周波数掃引処理手段による周波数掃引動作および脱出判定手段による脱出判定動作と並行して、音声出力手段の出力を無音状態に維持する無音処理手段と、周波数掃引処理手段による周波数掃引動作の後あるいは前に行われる脱出判定手段の判定動作の結果に基づいて、リスト保持手段による放送局リストの内容保持の継続あるいは解除を決定するリスト保持判定手段とを備えている。
【０００８】
具体的には、上述したリスト保持判定手段は、脱出判定手段によって領域内から脱出していない旨の判定がなされたときに、放送局リストの内容保持を継続する決定を行い、脱出判定手段によって領域内から脱出した旨の判定がなされたときに、放送局リストの内容保持を解除する決定を行っている。特に、上述した放送信号受信手段は、１つの放送信号を受信するシングルチューナ構成を有することが望ましい。また、上述した進入判定手段および脱出判定手段による判定の対象となる放送信号の受信が困難な領域は、トンネルおよび建物内部であることが望ましい。
【０００９】
利用者の指示に応じて周波数掃引動作を行う際に各放送信号の受信状態を検出しているため、通常の放送信号の受信動作（音声出力）に影響を与えることなく各放送信号を調べることができ、この受信状態検出のために別の構成を追加したり、ナビゲーションシステム等を用いる必要がなく、構成を簡略化することができる。また、トンネル等からの脱出の有無に応じて放送局リストの内容保持の継続あるいは解除を決定しているため、トンネル等を走行中に放送局リストの内容が更新されてしまうことを防止することができる。
【００１０】
また、上述したリスト保持判定手段は、周波数掃引処理手段による周波数掃引開始前あるいは掃引終了後に、放送局リストの内容保持の継続あるいは解除を決定する。これにより、利用者に違和感を与えることなく、放送局リストの内容保持の継続／解除を判定することができる。
【００１１】
また、上述した脱出判定手段は、放送局リストに対応する放送信号を対象に受信状態の検出を行う。あるいは、上述した脱出判定手段は、受信周波数帯に含まれる全ての放送信号を対象に受信状態の検出を行う。トンネルや建物内部に進入することにより、受信可能な放送信号の数が減少するため、受信状態の検出結果に基づいてトンネルや建物内部に進入したことを確実に検出することができる。
【００１２】
また、上述した無音処理手段は、リスト保持判定手段の動作中に出力の無音状態を維持することが望ましい。これにより、周波数掃引動作時の無音状態を利用して放送局リストの内容保持の継続／解除を判定することができ、利用者に違和感を与えることを防止することができる。
【００１３】
また、上述した放送信号受信手段に対して放送信号の切り替えを指示する選局処理手段と、選局処理手段によって切り替えられた放送信号の受信状態に基づいて放送リストの内容更新を行う放送局リスト更新手段とをさらに備え、放送局リスト更新手段は、リスト保持判定手段によって放送局リストの内容保持を継続する決定が行われたときに、放送信号の受信状態にかかわらず放送局リストの内容を保持することが望ましい。また、上述した選局処理手段は、放送局リストに含まれるいずれかの放送信号への切り替えを指示することが望ましい。これにより、選局した放送信号の受信状態が悪い場合であっても、その原因がトンネル等への進入にある場合には放送局リストの内容を維持することができ、一時的受信状態悪化を理由に放送局リスの内容が更新されてしまうことを防止することができる。
【００１４】
また、上述した進入判定手段は、放送信号受信手段によって受信中の放送信号の受信状態に基づいて、放送信号の受信が困難な領域内に進入したか否かを判定することが望ましい。受信可能エリアから離脱した場合と異なり、トンネル内に進入した場合には放送信号の受信状態が急激に変化（悪化）するため、受信状態を調べることにより、トンネルや建物内部に進入したことを確実に検出することができる。
【図面の簡単な説明】
【００１５】
【図１】一実施形態のラジオ受信機の構成を示す図である。
【図２】ＲＤＳデータの基本的ベースバンドコーディング構造の説明図である。
【図３】作成された放送局リストの内容保持状態をトンネル等への進入の有無に応じて切り替えるようにした動作手順を示す流れ図である。
【図４】放送局リスト保持の判定結果を反映させた選局動作を示す流れ図である。
【図５】走行中にトンネル内に進入して放送局リストの保持を継続した場合の選局動作の説明図である。
【発明を実施するための形態】
【００１６】
以下、本発明を適用した一実施形態のラジオ受信機について、図面を参照しながら説明する。図１は、一実施形態のラジオ受信機の構成を示す図である。図１に示すラジオ受信機は、車両に搭載されてＲＤＳ放送を受信するためのものであり、アンテナ１０、フロントエンド（Ｆ／Ｅ）１２、中間周波増幅器（ＩＦＡ）１４、Ｓメータ（シグナルメータ）１６、復調部２０、増幅器２２、スピーカ２４、ＲＳデコーダ３０、制御部４０、放送局リスト格納部５０、表示部６０、操作部６２を含んで構成されている。このラジオ受信機は、１つの放送信号を受信するシングルチューナ構成を有している。
【００１７】
ＲＤＳ放送は、１９ｋＨｚのステレオパイロット信号の３次高調波である５７ｋＨｚを副搬送波とし、フィルタリングおよび２相コード化された番組関連情報や交通情報関連等のデータを示すデータ信号により、副搬送波を振幅変調してラジオデータ（ＲＤＳデータ）とし、この振幅変調された副搬送波を主搬送波に周波数変調して放送している。
【００１８】
図２は、ＲＤＳデータの基本的ベースバンドコーディング構造の説明図である。図２に示すように、ＲＤＳデータは、１０４ビットを１グループとするグループ単位で構成され、各グループはそれぞれ４ブロック（Ａ、Ｂ、Ｃ、Ｄ）からなり、１ブロックは１６ビットの情報語（ｍ０〜ｍ１５）と１０ビットの検査語およびオフセット語（Ｃ’０〜Ｃ’９）とから構成されている。
【００１９】
ブロックＡには、国名データや番組データからなるネットワークを示す番組識別データ（ＰＩコード：Program Identification Code）が配置される。ブロックＢには、交通情報番組を放送する交通情報放送局であることを示す交通情報放送局識別データ（ＴＰコード：Traffic program Identification code）や番組の種類を示す番組内容識別データ（ＰＴＹコード：Program Type code）が配置される。ブロックＣには、同一番組を放送しているネットワーク局群の各局の周波数に関するデータ、すなわち代替周波数データ（ＡＦデータ：Alternative Frequency code）が配置される。ブロックＤには、放送局名やネットワーク名等の放送局名データ（ＰＳデータ：Program Service code）が配置される。
【００２０】
フロントエンド１２は、アンテナ１０を介して受信した放送信号の中から所望の放送信号を抽出するとともに周波数変換を行ってこの放送波に対応するＩＦ信号（中間周波信号）を生成する。中間周波増幅器１４は、フロントエンド１２から出力されたＩＦ信号を増幅する。Ｓメータ１６は、中間周波増幅器１４から出力されるＩＦ信号の信号強度、すなわちフロントエンド１２で受信した放送信号の電界強度を検出する。
【００２１】
復調部２０は、中間周波増幅器１４から入力されるＩＦ信号に基づいてＦＭ復調処理およびステレオ復調処理を行う。ＦＭ復調された後のデータには、番組識別データ（ＰＩ）や番組内容識別データ（ＴＹＰ）などを含むＲＤＳデータが重畳されている。復調部２０によってステレオ復調されたオーディオ信号は、増幅器２２によって増幅されてスピーカ２４からオーディ音が出力される。
【００２２】
ＲＤＳデコーダ３０は、復調部２０によってＦＭ復調されたデータに対して所定のデコード処理を行ってＲＤＳデータを復元する。また、ＲＤＳデコーダ３０には、ＲＤＳデータの誤りをブロック同期を取りながら検出し、その誤りを訂正する動作を行う。なお、通常は、ＲＤＳデータの誤り検出および訂正動作はＲＤＳデータのデコード処理とは別であって、別の誤り検出・訂正部が備わっている。
【００２３】
制御部４０は、ラジオ受信機全体を制御する。この制御部４０は、ＣＰＵおよびＲＡＭ、ＲＯＭ等によって構成されており、所定のプログラムを実行することにより各種の動作を行う。例えば、番組を選択して受信する選局動作や、周波数を一方向に掃引して受信可能な放送信号を探すシーク動作や、受信可能な放送信号を示す放送局リストを作成する動作などが制御部４０の制御によって行われる。このために、制御部４０は、選局処理部４１、放送局リスト作成部４２、進入判定部４３、脱出判定部４４、リスト保持部４５、シーク処理部４６、ミュート処理部４７、リスト保持判定部４８、放送局リスト更新部４９を備えている。
【００２４】
選局処理部４１は、操作部６２を用いて利用者によって選局指示（受信番組の切替指示）がなされたときに、切替後の受信番組に対応する受信周波数の設定をフロントエンド１２に対して行う。放送局リスト作成部４２は、受信可能な放送信号を示す放送局リストを作成する。この放送局リストには、少なくとも各各放送局の放送信号に対応する番組識別データ（ＰＩコード）と受信周波数が含まれている。また、放送局リストを作成するタイミングについてはいくつかのケースが考えられる。操作部６２を用いて利用者が指示したタイミングで作成する場合や、ラジオ受信機の起動時や所定の時間間隔で作成する場合などが考えられる。作成された放送局リストは、半導体メモリやハードディスク装置などで構成される放送局リスト格納部５０に格納される。
【００２５】
進入判定部４３は、放送信号の受信状態に基づいて放送信号の受信が困難な領域内に進入したか否かを判定する。具体的には、進入判定部４３は、受信中の放送信号の受信状態（Ｓメータ１６の出力レベル）の変化の程度に基づいて、放送信号の受信が困難な領域内に進入したか否かを判定する。走行中の車両が放送局の受信エリアから外れる場合にはＳメータ１６の出力レベルが徐々に減少するが、車両がトンネルや建物内の駐車場に進入した場合にはＳメータ１６の出力レベルが急に減少する。したがって、Ｓメータ１６の出力レベルの減少速度が所定の基準値以上になったときに、トンネル等に進入したものと判定することができる。
【００２６】
脱出判定部４４は、放送信号の受信状態に基づいて放送信号の受信が困難な領域内から脱出したか否かを判定する。この脱出判定部４４や上述した進入判定部４３による判定の対象となる「放送信号の受信が困難な領域」とは、トンネルおよび建物内部を想定している。具体的には、脱出判定部４４は、放送局リストに含まれる各放送信号の受信状態（Ｓメータ１６の出力レベル）に基づいて、放送信号の受信が困難な領域内から脱出したか否かを判定する。例えば、放送局リストに含まれる全て（あるいは所定数以上）の放送信号の受信状態が良好であって受信可能な場合には、トンネル等から脱出したものと判定することができる。
【００２７】
リスト保持部４５は、進入判定部４３によってトンネル等へ進入した旨の判定がなされたときに、放送局リスト格納部５０に格納された放送局リストの内容を保持する。シーク処理部４６は、操作部６２を用いて利用者によって周波数掃引指示（シーク指示）がなされたときにフロントエンド１２の受信周波数を一方向に掃引し、Ｓメータ１６の出力レベルが所定値以上になって放送信号を検出したときに、この受信周波数の掃引を停止する。ミュート処理部４７は、シーク処理部４６による周波数掃引動作（シーク動作）と並行して、復調部２０に指示を送ってスピーカ２４から出力されるオーディオ音を無音状態にする。
【００２８】
リスト保持判定部４８は、脱出判定部４４によってトンネル等から脱出していない旨の判定が行われたときに、リスト保持部４５による放送局リスト保持を継続する決定を行い、それ以外のとき（トンネル等から脱出した旨の判定がなされたとき）に、リスト保持部４５による放送局リスト保持を解除する決定を行う。
【００２９】
放送局リスト更新部４９は、放送局リストを用いた選局動作等において、受信対象の放送信号の受信状態（Ｓメータ１６の出力レベル）を検出し、この検出結果に基づいて、放送局リスト格納部５０に格納されている放送局リストの内容更新を行う。
【００３０】
表示部６０は、ＲＤＳデータに表示対象のデータが含まれる場合にこのデータを表示したり、制御部４０の制御に必要な選局情報や放送局リストの内容等を表示する。操作部６２は、利用者による指示を受け付けるためのものであり、各種の入力キーや操作つまみなどを備える。
【００３１】
上述したアンテナ１０、フロントエンド１２が放送信号受信手段に、中間周波増幅器１４、復調部２０、増幅器２２、スピーカ２４が音声出力手段に、放送リスト作成部４２が放送リスト作成手段に、進入判定部４３が進入判定手段に、脱出判定部４４が脱出判定手段に、リスト保持部４５がリスト保持手段に、操作部６２が操作手段に、シーク処理部４６が周波数掃引処理手段に、ミュート処理部４７が無音処理手段に、リスト保持判定部４８がリスト保持判定手段に、選局処理部４１が選局処理手段に、放送局リスト更新部４９が放送局リスト更新手段にそれぞれ対応する。
【００３２】
本実施形態のラジオ受信機はこのような構成を有しており、次にその動作を説明する。図３は、作成された放送局リストの内容保持状態をトンネル等からの脱出の有無に応じて切り替えるようにした動作手順を示す流れ図である。なお、以下の説明では、トンネルと建物内部の両方の領域を「トンネル」と称して説明を行うものとする。
【００３３】
車両走行時にいずれかの放送信号を受信中（ステップ１００）に、進入判定部４３は、トンネルに進入したか否かを判定する（ステップ１０２）。車両がトンネル内に進入していない場合には否定判断が行われ、この判定が繰り返される。また、車両がトンネル内に進入した場合にはステップ１０２の判定において肯定判断が行われ、次に、シーク処理部４６は、利用者によるシーク指示がなされたか否かを判定する（ステップ１０６）。シーク指示がなさない場合には否定判断が行われ、この判定動作が繰り返される。
【００３４】
また、利用者によってシーク指示がなされた場合にはステップ１０６の判定において肯定判断が行われる。次に、ミュート処理部４７は、復調部２０に対してミュート指示を送り、スピーカ２４から出力されるオーディオ音を無音状態にする（ステップ１０８）。また、シーク処理部４６は、フロントエンド１２に指示を送って、現在の受信周波数から周波数を一方向に掃引するシーク動作を開始する（ステップ１１０）。
【００３５】
次に、シーク処理部４６は、Ｓメータ１６の出力レベルを監視し、受信状態が良好（出力レベルが所定値以上）な放送信号が存在するか否かを判定する（ステップ１１２）。放送信号を検出していない場合には否定判断が行われ、次に、シーク処理部４６は掃引周波数が一巡（例えば、掃引周波数が受信帯域の上限値（あるいは下限値）に達した場合には、周波数が下限値（あるいは上限値）に切り替えられて周波数掃引が継続される）したか否かを判定する（ステップ１１４）。一巡するまで否定判断が行われ、ステップ１１２に戻って一巡判定が行われる。
【００３６】
また、周波数掃引動作中に放送信号が検出されるとステップ１１２の判定において肯定判断が行われる。その後、あるいは、掃引周波数が一巡してステップ１１４の判定において肯定判断が行われた場合にはその後、シーク処理部４６はシーク動作を終了する（ステップ１１６）。この状態では、シーク動作後の新たな受信周波数（掃引周波数が一巡した場合にはシーク動作開始前と同じ受信周波数）に対応する放送信号が受信されて、対応するオーディオ音出力が行われる。
【００３７】
次に、脱出判定部４４は、放送局リストに含まれる複数の放送局のそれぞれの放送信号の受信状態（Ｓメータ１６の出力レベル）を所定の順番（例えば、放送局リストの登録順や受信周波数の高いあるいは低い順）で検出する（ステップ１１８）。また、脱出判定部４４は、トンネルから脱出したか否かを判定する（ステップ１２０）。トンネル内を走行中で脱出していない場合には否定判断が行われ、次に、リスト保持判定部４８は、放送局リストの保持を継続する決定を行う（ステップ１２２）。一方、トンネルを脱出した場合にはステップ１２０の判定において肯定判断が行われる。次に、リスト保持判定部４８は、放送局リストの保持を解除する決定を行う（ステップ１２４）。
【００３８】
次に、ステップ１１２で検出された放送信号、あるいは、ステップ１１４において周波数が一巡した旨の判定が行われた場合にはシーク動作開始時の元の放送信号の受信が開始され（ステップ１２６）、ミュート処理部４７はミュート処理を終了させる（ステップ１２８）。その後、ステップ１０６に戻ってシーク指示判定が繰り返される。
【００３９】
なお、ステップ１２２において放送局リストの保持を継続する決定が行われると、この時点よりも後に、放送局リストに含まれるいずれかの放送局に切り替える選局指示が行われて、実際にこの放送局の放送信号に切り替えられたときに、この放送信号の受信状態が悪い場合であってもこの放送局を放送局リストから削除せずに放送局リストの内容が維持される。
【００４０】
一方、ステップ１２４において放送局リストの保持を解除する決定が行われると、この時点よりも後に、放送局リストに含まれるいずれかの放送局に切り替える選局指示が行われて、実際にこの放送局の放送信号に切り替えられたときに、この放送信号の受信状態が悪い場合にはこの放送局を放送局リストから削除して放送局リストの内容が変更される。
【００４１】
図４は、放送局リスト保持の判定結果を反映させた選局動作を示す流れ図である。いずれかの放送信号を受信中（ステップ２００）に、選局処理部４１は選局指示がなされたか否かを判定する（ステップ２０２）。選局指示が行われない場合には否定判断が行われ、ステップ２００に戻って現在の放送信号受信が継続される。また、選局指示が行われるとステップ２０２の判定において肯定判断が行われ、次に、選局処理部４１は放送局（放送信号）を切り替える（ステップ２０４）。具体的には、上記の選局指示は放送局リストに登録されたいずれかの放送局を選択することにより行われ、選局処理部４１は、この選択された放送局（放送信号）に対応する受信周波数の設定をフロントエンド１２に対して設定することにより、放送信号の切り替えを行う。
【００４２】
次に、放送局リスト更新部４９は、切り替え後の放送信号の受信状態（Ｓメータ１６の出力レベル）を検出し、この検出した受信状態が良好か否かを判定する（ステップ２０６）。受信状態が良好な場合には肯定判断が行われ、ステップ２００に戻って切り替え後の放送信号受信が継続される。
【００４３】
また、受信状態が悪い場合にはステップ２０６の判定において否定判断が行われる。次に、放送局リスト更新部４９は、リスト保持判定部４８によって放送局リストの保持を継続する決定が行われているか否かを判定する（ステップ２０８）。図３のステップ１２２において放送局リストの保持を継続する決定が行われている場合には肯定判断が行われ、ステップ２００に戻って切り替え後の放送信号受信が継続される。一方、図３のステップ１２４において放送局リストの保持を解除する決定が行われている場合にはステップ２０８の判定において否定判断が行われる。次に、放送局リスト更新部４９は、切り替え後の受信状態が悪い放送信号（放送局）を放送局リストから削除する（ステップ２１０）。以後、ステップ２００に戻って放送信号受信が継続される。なお、この放送信号は受信状態が悪いため、通常は他の放送局に切り替えるための選局指示等が行われる。
【００４４】
図５は、走行中にトンネル内に進入して放送局リストの保持を継続した場合の選局動作の説明図である。図５に示す例では、Ａ、Ｂ、Ｃで示された３つの放送局が放送局リストに含まれており、これらとは別にＤで示されたトンネル内放送が存在するものとする。
【００４５】
放送局Ａの放送信号を受信中に車両がトンネル内に進入すると、それ以前に作成されて放送局リスト格納部５０に格納されている放送局リストの内容が保持される（図３のステップ１０４）。その後、シーク動作が行われてトンネル内放送局Ｄが検出されると、その時点でトンネル脱出判定（図３のステップ１２０）が行われる。そして、トンネル内から脱出していない場合には、放送局リストの保持を継続する決定（ステップ１２２）が行われる。その後、放送局リストに含まれる放送局Ａ、Ｂ、Ｃ（トンネル内であるためいずれの放送信号も受信状態が悪い）に対する選局動作が行われるが、放送局リストの保持を継続する決定が行われているため、これらの放送局Ａ、Ｂ、Ｃは放送局リストから削除されず、放送局リストの内容は保持される。なお、トンネル内から脱出した場合には、放送局リストの保持を解除する決定（ステップ１２４）が行われるため、放送局Ａ、Ｂ、Ｃのそれぞれが選局されて、受信状態が悪い場合には放送局リストから削除される。
【００４６】
このように、本実施形態のラジオ受信機では、利用者の指示に応じてシーク動作を行う際に各放送信号の受信状態を検出しているため、通常の放送信号の受信動作（オーディオ音出力）に影響を与えることなく各放送信号の内容を調べることができ、この受信状態検出のために別の構成を追加したり、ナビゲーションシステム等を用いる必要がなく、構成を簡略化することができる。また、トンネル等からの脱出の有無に応じて放送局リストの内容保持の継続あるいは解除を決定しているため、トンネル等を走行中に放送局リストの内容が更新されてしまうことを防止することができる。
【００４７】
また、シーク動作終了後であってオーディオ音出力を開始する前に放送局リストの内容保持の継続あるいは解除を決定することにより、利用者に違和感を与えることなく、放送局リストの内容保持の継続／解除を判定することができる。
【００４８】
また、放送局リストに含まれる放送信号を対象に受信状態を検出して、トンネル等の放送信号の受信が困難な領域内から脱出したか否かを判定することにより、トンネルや建物内部から脱出したことを確実に検出することができる。また、シーク動作時の無音状態（ミュート）を利用して放送局リストの内容保持の継続／解除を判定することにより、利用者に違和感を与えることを防止することができる。
【００４９】
なお、本発明は上記実施形態に限定されるものではなく、本発明の要旨の範囲内において種々の変形実施が可能である。例えば、上述した実施形態では、図３のステップ１１８において、放送局リストに含まれる複数の放送局のそれぞれの放送信号の受信状態を検出したが、受信周波数帯に含まれる全ての放送信号を対象に受信状態の検出を行うようにしてもよい。
【００５０】
また、上述した実施形態では、シーク動作終了後に放送信号の受信状態を検出して放送局リストの内容保持の継続あるいは解除を決定したが（図３のステップ１２０、１２２、１２４）、これらの動作はシーク動作開始前（図３のステップ１０８と１１０の間）に行うようにしてもよい。
【００５１】
また、上述した実施形態では、ＲＤＳ放送を受信するラジオ受信機について説明したが、その他のラジオ受信機、例えばＤＡＢ（Digital Audio Broadcasting）受信機やその他のＡＭ受信機、ＦＭ受信機についても本発明を適用することができる。
【産業上の利用可能性】
【００５２】
上述したように、本発明によれば、利用者の指示に応じて周波数掃引動作を行う際に各放送信号の受信状態を検出しているため、通常の放送信号の受信動作（音声出力）に影響を与えることなく各放送信号を調べることができ、この受信状態の検出のために別の構成を追加したり、ナビゲーションシステム等を用いる必要がなく、構成を簡略化することができる。また、トンネル等からの脱出の有無に応じて放送局リストの内容保持の継続あるいは解除を決定しているため、トンネル等を走行中に放送局リストの内容が更新されてしまうことを防止することができる。
【符号の説明】
【００５３】
１０  アンテナ
１２  フロントエンド（Ｆ／Ｅ）
１４  中間周波増幅器（ＩＦＡ）
１６  Ｓメータ
３０  ＲＳデコーダ
４０  制御部
４１  選局処理部
４２  放送局リスト作成部
４３  進入判定部
４４  脱出判定部
４５  リスト保持部
４６  シーク処理部
４７  ミュート処理部
４８  リスト保持判定部
４９  放送局リスト更新部
５０  放送局リスト格納部
６０  表示部
６２  操作部
【図１】
0005808035.tif 000002
【図２】
0005808035.tif 000003
【図３】
0005808035.tif 000004
【図４】
0005808035.tif 000005
【図５】
0005808035.tif 000006